【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
ａ．四級化されたモノ−、ジ−、およびトリ−エステルアルカノールアミンのエステルクアット混合物を含み、該エステルクアット混合物の該トリ−エステルクアットの含有量が該混合物の25重量％より高く、該ジ−エステルクアットと該トリ−エステルクアットの合計の含有量が、該エステルクアット混合物の７８重量％より高く、最大約９８重量％であり、かつ、該エステルクアット混合物が、脂肪酸またはそのメチルエステルとアルカノールアミンが１．９４：１より高いモル比で反応した四級化反応産物である、0．5％〜12重量％の布地柔軟化活性剤；および
ｂ．水
を含む、液体布地柔軟化組成物であって、
該布地柔軟化活性剤が、50％の硬い獣脂脂肪酸と50％の柔らかい獣脂脂肪酸との混合物から製造される場合、
該組成物の4％分散液の初期粘度が304ｃＰより高く；かつ
該布地柔軟化活性剤が、1重量％より高い遊離脂肪酸を含む、
液体布地柔軟化組成物。
【請求項２】
脂肪酸またはそのメチルエステルが、20〜100のヨウ素価を有する、請求項1に記載の組成物。
【請求項３】
ヨウ素価が20〜50である、請求項2に記載の組成物。
【請求項４】
トリ−エステルクアットの含有量が、エステルクアット混合物の最大55重量％である、請求項2に記載の組成物。
【請求項５】
脂肪酸／脂肪対アルカノールアミンのモル比が、最大2．7：1である、請求項1に記載の組成物。
【請求項６】
遊離脂肪酸の含有量が、布地柔軟化活性剤の最大10重量％である、請求項1〜5のいずれか一項に記載の組成物。
【請求項７】
アルカノールアミンが、トリエタノールアミン（ＴＥＡ）である、請求項1〜6のいずれか一項に記載の組成物。
【請求項８】
布地柔軟化活性剤が、少なくとも1.25重量％の遊離脂肪酸を含む、請求項1に記載の組成物。
【請求項９】
以下の工程：
ａ．請求項1〜8のいずれかに記載の液体布地柔軟剤組成物を、所定の洗濯条件下、布地を効果的に柔らかくし、適当な状態にする濃度で提供する工程；
ｂ．洗濯過程中、1つまたは複数の時点で、1つまたは複数の物品を該組成物と接触させる工程；および
ｃ．該物品を乾かすか、または機械的にそれらを乾燥機で乾かす工程
を含む、布を適当な状態にする方法。
【請求項１０】
四級化されたモノ−、ジ−、およびトリ−エステルアルカノールアミンのエステルクアット混合物を含む、布地柔軟化活性剤組成物であって、
該エステルクアット混合物が、アルカノールアミン、20〜100のヨウ素価を有する脂肪酸またはそのメチルエステル、および四級化剤の反応生成物であり、該脂肪酸またはメチルエステルとアルカノールアミンは、１．９４：１より高い脂肪酸／脂肪対アルカノールアミンのモル比で反応しており、
ジエステルクアットとトリエステルクアットの合計の含有量が、総エステルクアット混合物の78重量％より高く；
トリエステルクアットの含有量が、総エステルクアット混合物の25重量％より高く；かつ
布地柔軟化活性剤が、1重量％より高い遊離脂肪酸を含む、
布地柔軟化活性剤組成物。
【請求項１１】
ヨウ素価が20〜50である、請求項10に記載の布地柔軟化活性剤組成物。
【請求項１２】
アルカノールアミンと脂肪酸またはメチルエステルを反応させるための反応時間が、反応が190℃で行われている場合に、6時間40分未満である、請求項10に記載の布地柔軟化活性剤組成物。
【請求項１３】
トリ−エステルクアットの含有量が、エステルクアット混合物の最大55重量％である、請求項10に記載の布地柔軟化活性剤組成物。
【請求項１４】
ジ−エステルクアットとトリ−エステルクアットの合計の含有量が、エステルクアット混合物の最大98重量％である、請求項10に記載の布地柔軟化活性剤組成物。
【請求項１５】
脂肪酸／脂肪対アルカノールアミンのモル比が、最大2．7：1である、請求項10に記載の布地柔軟化活性剤組成物。
【請求項１６】
遊離脂肪酸の含有量が、布地柔軟化活性剤の最大10重量％である、請求項10〜15のいずれか一項に記載の布地柔軟化活性剤組成物。
【請求項１７】
アルカノールアミンが、トリエタノールアミンである、請求項10〜15のいずれか一項に記載の布地柔軟化活性剤組成物。
【請求項１８】
遊離脂肪酸の含有量が、布地柔軟化活性剤の少なくとも1.25重量％である、請求項10に記載の布地柔軟化活性剤組成物。
【手続補正２】
【補正対象書類名】明細書
【補正対象項目名】００１０
【補正方法】変更
【補正の内容】
【００１０】
第三の局面において、本技術は、四級化されたモノ−、ジ−、およびトリ−エステルアルカノールアミンの混合物を含む、布地柔軟化活性剤組成物を指向し、ここでジエステルクアットとトリエステルクアットの合計は、総エステルクアット混合物の７８重量％より高く；トリエステルクアットは、総エステルクアット混合物の２５重量％より高く；かつ布地柔軟化活性剤は、１重量％より高い遊離脂肪酸を含む。エステルクアット混合物を作るのに用いられる脂肪酸／脂肪対アルカノールアミンのモル比は、１．９４：１より高く、そしてクアッティング（quatting）後に、２５％より高いトリエステルクアットの含有量と、７８％より高いジエステルクアットとトリエステルクアットの合計の含有量を生じる、エステルアミンを生成するのに必要な反応時間は、反応が１９０℃で行われ、該反応のゼロ時が、反応混合物が最初に１９０℃に到達した時に設定される場合に、６時間４０分未満である。
[本発明1001]
ａ．四級化されたモノ−、ジ−、およびトリ−エステルアルカノールアミンのエステルクアット混合物を含み、該エステルクアット混合物の該トリ−エステルクアットの含有量が該混合物の25重量％より高い、0．5％〜12重量％の布地柔軟化活性剤；および
ｂ．水
を含む、液体布地柔軟化組成物であって、
該布地柔軟化活性剤が、50％の硬い獣脂脂肪酸と50％の柔らかい獣脂脂肪酸との混合物から製造される場合、
該組成物の4％分散液の初期粘度が304ｃＰより高く；かつ
該布地柔軟化活性剤が、1重量％より高い遊離脂肪酸を含む、
液体布地柔軟化組成物。
[本発明1002]
エステルクアット混合物が、アルカノールアミン、1〜100のヨウ素価を有する脂肪酸またはそのメチルエステル、および四級化剤の反応生成物である、本発明1001の組成物。
[本発明1003]
ヨウ素価が20〜50である、本発明1002の組成物。
[本発明1004]
トリ−エステルクアットの含有量が、エステルクアット混合物の最大55重量％である、本発明1001〜1003の組成物。
[本発明1005]
柔軟剤活性剤が、エステルクアット混合物の78重量％を超える、ジ−エステルクアットとトリ−エステルクアットの合計の含有量を有する、本発明1001〜1004の組成物。
[本発明1006]
ジ−エステルクアットとトリ−エステルクアットの合計の含有量が、エステルクアット混合物の最大約98重量％である、本発明1005の組成物。
[本発明1007]
1．94：1より高いモル比の脂肪酸／脂肪対アルカノールアミンで、脂肪酸またはメチルエステルとアルカノールアミンが反応する、本発明1002の組成物。
[本発明1008]
脂肪酸／脂肪対アルカノールアミンのモル比が、最大約2．7：1である、本発明1007の組成物。
[本発明1009]
遊離脂肪酸の含有量が、布地柔軟化活性剤の最大10重量％である、本発明1001〜1008の組成物。
[本発明1010]
アルカノールアミンが、トリエタノールアミン（ＴＥＡ）である、本発明1001〜1009の組成物。
[本発明1011]
特別な順序なしに、以下の工程：
ａ．本発明1001〜1009のいずれかの液体柔軟剤組成物を、所定の洗濯条件下、布地を効果的に柔らかくし、適当な状態にする濃度で提供する工程；
ｂ．洗濯過程中、1つまたは複数の点で、1つまたは複数の物品を該組成物と接触させる工程；および
ｃ．該物品を乾かすか、または機械的にそれらを乾燥機で乾かす工程
を含む、布を適当な状態にする方法。
[本発明1012]
四級化されたモノ−、ジ−、およびトリ−エステルアルカノールアミンの混合物を含む、布地柔軟化活性剤組成物であって、
ジエステルクアットとトリエステルクアットの合計の含有量が、総エステルクアット混合物の78重量％より高く；
トリエステルクアットの含有量が、総エステルクアット混合物の25重量％より高く；かつ
布地柔軟化活性剤が、1重量％より高い遊離脂肪酸を含む、
布地柔軟化活性剤組成物。
[本発明1013]
エステルクアット混合物が、アルカノールアミン、1〜100のヨウ素価を有する脂肪酸またはそのメチルエステル、および四級化剤の反応生成物である、本発明1012の布地柔軟化活性剤。
[本発明1014]
ヨウ素価が20〜50である、本発明1013の布地柔軟化活性剤。
[本発明1015]
1．94：1より高いモル比の脂肪酸／脂肪対アルカノールアミンで、脂肪酸またはメチルエステルとアルカノールアミンが反応する、本発明1013の布地柔軟化活性剤。
[本発明1016]
アルカノールアミンと脂肪酸またはメチルエステルを反応させるための反応時間が、反応が190℃で行われている場合に、6時間40分未満である、本発明1015の布地柔軟化活性剤。
[本発明1017]
トリ−エステルクアットの含有量が、エステルクアット混合物の最大55重量％である、本発明1012〜1016の布地柔軟化活性剤。
[本発明1018]
ジ−エステルクアットとトリ−エステルクアットの合計の含有量が、エステルクアット混合物の最大約98重量％である、本発明1012〜1017の布地柔軟化活性剤。
[本発明1019]
脂肪酸／脂肪対アルカノールアミンのモル比が、最大約2．7：1である、本発明1015の布地柔軟化活性剤。
[本発明1020]
遊離脂肪酸の含有量が、布地柔軟化活性剤の最大10重量％である、本発明1012〜1019の布地柔軟化活性剤。
[本発明1021]
アルカノールアミンが、トリエタノールアミンである、本発明1012〜1020の布地柔軟化活性剤。